(57)【要約】【課題】免許証などの媒体に設けられた真偽判別要素となる位置を迅速に特定して、確実に真偽判別ができるような装置を提供する。【解決手段】複数の真偽判別要素を有する媒体５に対して、テンプレート２１ａを設け、そのテンプレート２１ａに、媒体５の真偽判別要素が存在する位置に覗き孔２１０を設けておく。そして、その覗き孔２１０に撮像装置３の窓部３０を嵌合させるとともに、固定孔２１１に撮像装置３の固定突起３１を嵌合させて回転不能に位置決めさせるようにしたので、簡単な構成で複数の撮像位置を迅速に特定でき、その部分の真偽判別を確実に行うことができる。【選択図】  図１
2005012519.tif 000002
【特許請求の範囲】
【請求項１】
撮像対象となる媒体の上面を覆い、この媒体の撮像部分に対応した位置に覗き孔を有してなるテンプレートであって、撮像装置に設けられた撮像用の窓部を前記覗き孔に回転不能に位置決めする位置決め手段を設けたことを特徴とする撮像装置位置決め用のテンプレート。
【請求項２】
撮像対象となる媒体を上面に固定する固定部を備えたベース部材と、このベース部材上に固定された媒体の上面を覆い、この媒体の撮像部分に対応した位置に覗き孔を有するテンプレートとを具備してなり、撮像用の窓部を有する撮像装置を用いて前記ベース部材とテンプレートとの間に設けられた媒体の画像を取得するためのテンプレートユニットであって、前記撮像装置に設けられた窓部を前記テンプレートの覗き孔に回転不能に位置決めする位置決め手段を設けたことを特徴とする撮像装置固定用のテンプレートユニット。
【請求項３】
前記ベース部材の固定部が、媒体の種類に対応して複数設けられたものである請求項２に記載のテンプレートユニット。
【請求項４】
前記テンプレートに、複数の覗き孔と、この覗き孔に撮像装置を位置決めする順序を示した標記とを設けた請求項２に記載のテンプレートユニット。
【請求項５】
複数の覗き孔に対応した識別情報を有する透明フィルムを設け、その識別情報が覗き孔の内側に位置するように透明フィルムをテンプレートの媒体側に貼り付けた請求項２から４いずれか１項に記載のテンプレートユニット。
【請求項６】
撮像対象となる媒体を上面に固定する固定部を備えたベース部材と、このベース部材上に固定された媒体の上面を覆い、この媒体の撮像部分に対応した位置に覗き孔を有するテンプレートとを具備してなるテンプレートユニットと、撮像用の窓部を有する撮像装置を用いて前記ベース部材とテンプレートとの間に設けられた媒体の画像を取得する撮像装置と、を設け、
前記テンプレートの覗き孔に、前記撮像装置に設けられた窓部を回転不能に位置決めし、撮像装置の窓部を介して取得された媒体の画像情報から、媒体の真偽を判別する装置に出力することを特徴とする媒体真偽判別用装置。
【発明の詳細な説明】
【０００１】
【発明の属する技術分野】
本発明は、免許証やパスポートその他の媒体から表面画像を取得してその真偽の判別を行いうるようにした装置などに関する。
【０００２】
【従来の技術】
近年、コピー機やプリンタなどのＯＡ機器の技術進展に伴って、証書類や有価証券類は、肉眼で判別できないほど精巧に偽造されるようになってきており、また、これに対応して、媒体の真偽を判別するための装置も種々提案されるようになってきている。このような真偽判別装置のうち、有人用窓口などで簡便に使用されるハンディ型の真偽判別装置としては、例えば、後記の特許文献１、特許文献２などに示されている。
【０００３】
このうち特許文献１に記載されるものは、真偽判別の対象となる媒体の表面に紫外線を照射し、その反射光を受光することによって紫外励起の有無を検知できるようにしたものであり、片手で操作しうる握り部と、紫外線を照射する検知センサを備えたケース頭部とを設け、このケース頭部を媒体に押し当てて媒体の紫外励起の有無を検知できるようにしたものである。
【０００４】
また、特許文献２に記載されるものは、筐体のガラス面上に紙幣を載置し、下方から光を照射することによってその紙幣の透かし模様を視認しうるようにしたものであり、その際、紙幣の透かし模様の位置や形を容易に判別できるように、透かし模様の位置や形を記した透明フィルムを紙幣上に載置できるようにしたものである。
【０００５】
【特許文献１】
実用新案登録第２６０５３６２号公報
【特許文献２】
特許２００１―３２５６３９号公報
【０００６】
【発明が解決しようとする課題】
しかしながら、これら特許文献１、２に記載された真偽判別装置は、いずれも判定レベルは簡易的なものであり、高精度な真偽判別を行うことができない。すなわち、特許文献１に記載された装置は、紫外励起の有無のみを判別要素としているため、同様の蛍光材料を用いて偽造された媒体の真偽を判別することができない。また、特許文献２に記載された装置では、透かし模様と位置のみを判断しているため、判別性能が著しく不十分である。
【０００７】
これに対し、近年の証書類や有価証券類などの媒体には、偽造を防止するための印刷処理が施されており、肉眼では識別できない部分に真偽判別を行うための画像が複数存在している。このため、これらの画像の位置を迅速に特定し、判別することができれば、有人窓口に適した迅速な処理が可能となり、また、高精度な真偽判別を行うことができる。
【０００８】
そこで、本発明は上記課題に着目してなされたものであり、媒体に設けられた真偽判別要素の存在位置を迅速に特定し、高精度に真偽判別できるようなものを提供することを目的とするものである。
【０００９】
【課題を解決するための手段】
すなわち、本発明は上記課題を解決するために、撮像対象となる媒体の上面を覆い、この媒体の撮像部分に対応した位置に覗き孔を有するテンプレートを設け、撮像装置に設けられた撮像用の窓部をテンプレートの覗き孔に回転不能に位置決めする。
【００１０】
このように構成すれば、媒体の表面全体の画像情報を取得する必要がなく、特徴となる予め特定した部位の画像情報のみ取得することで、媒体の表面全体の画像を判断できる。これにより、例えば、媒体の真偽判別に利用した場合、媒体の真偽判別要素が存在する位置を敏速に特定することができ、この覗き孔の画像を取得することによって、高精度な真偽判別を可能にすることができるようになる。また、撮像装置を回転不能に位置決めするようにしているため、撮像した画像の向きが一定に固定され、この取得した画像情報を記憶したり、他の画像情報と比較したりする場合においても撮像条件の相違を補正するような画像の変換処理が不要となる。これにより、例えば、媒体の真偽判別に利用した場合、撮像された画像を回転処理して基準となる画像情報と比較することなく、敏速にその取得した画像情報から媒体の真偽判別を行なうことができる。
【００１１】
また、撮像対象となる媒体を上面に固定する固定部を備えたベース部材と、このベース部材上に固定された媒体の上面を覆い、この媒体の撮像部分に対応した位置に覗き孔を有するテンプレートとを設ける。そして、撮像用の窓部を有する撮像装置を用いて媒体の画像を取得する際、その撮像装置に設けられた窓部をテンプレートの覗き孔に回転不能に位置決めする。
【００１２】
このように構成すれば、ベース部材上に媒体を固定しているため、媒体を撮像する際、位置ズレが発生するのを防止することができる。よって、媒体の真偽判別に利用した場合、ある特定位置の画像を取得し、同一個所を他の画像と比較したりする場合は、これにより確実に真偽判別要素の存在する位置の画像を取得することができる。
【００１３】
さらに、このベース部材の固定部を、媒体の種類に対応して複数設けるようにする。
【００１４】
このように構成すれば、媒体の種類毎に別途新たなテンプレートユニットを用意する必要がなくなり、汎用性の高いテンプレートユニットにすることができるようになる。
【００１５】
加えて、テンプレートに、複数の覗き孔と、この覗き孔に撮像装置を位置決めする順序を示した標記とを設ける。
【００１６】
このように構成すれば、媒体の種類によって、媒体の大きさ、あるいは媒体の表面画像の複雑さによっては、特定した一つの個所の画像だけでは、情報が不足する場合などが考えられる。よって、媒体の真偽判別に利用した場合、複数の覗き孔を設けているため、多くの真偽判別要素に基づいて高精度な真偽判別をすることができる。また、その際、覗き孔に位置決めする順序を示した表記を設けるようにしていることで、本来撮像すべき位置と異なる位置の画像を取得してしまう危険性がなくなる。
【００１７】
また、複数の覗き孔に対応した識別情報を有する透明フィルムを設け、その識別情報が覗き孔の内側に位置するように透明フィルムをテンプレートの媒体側に貼り付ける。
【００１８】
このように構成すれば、覗き孔内における媒体の画像を取得する際、同時にその透明フィルム上に記された識別情報を取得することができ、これによって、どの覗き孔内の画像を取得しているかを容易に判断することができるようになる。
【００１９】
また、このような発明において、撮像装置の窓部を介して取得された画像情報から、その媒体を真偽判別する装置に出力する。
【００２０】
このように構成すれば、撮像装置側に真偽判別用の機能を持たせる必要がなくなり、テンプレートユニットおよび撮像装置自体を安価に仕上げることができるようになる。
【００２１】
【発明の実施の形態】
以下、本発明の一実施の形態について図面を参照して説明する。図１は媒体真偽判別用装置１の外観斜視図、図２はその媒体真偽判別用装置１を構成するベース部材２０と（図２（ａ））、媒体真偽判別用装置１を構成する蓋体２１の外枠部材２１４と（同（ｂ））、テンプレート２１ａ（同（ｃ））、透明フィルム２１ｂ（同（ｄ））の平面図を示したものである。また、図３は、媒体真偽判別用装置１の使用状態における断面の概略図を示したものである。
【００２２】
この実施の形態における媒体真偽判別用装置１は、図１に示すようにテンプレートユニット２と撮像装置３とを具備してなるもので、図３に示すように、このテンプレートユニット２を構成するベース部材２０とテンプレート２１ａとの間に免許証などのような真偽判別の対象となる媒体５を挟み込み、テンプレート２１ａに設けられた覗き孔２１０及び固定孔２１１に撮像装置３の窓部３０及び固定突起３１を嵌合させて媒体５の画像を取得できるようにしたものである。以下、この媒体真偽判別用装置１の具体的構成について詳細に説明する。
【００２３】
テンプレートユニット２を構成するベース部材２０と蓋体２１は、合成樹脂などによって形成されるもので、ヒンジ部材２２を介してそれぞれを回転可能に連結して蓋体２１を開閉できるようにしたものである。
【００２４】
ベース部材２０は、隣接した位置に、載置用ベース２０２を取り付けるための第一のベース部２００と、撮像装置３を載置する第二のベース部２０１とを具備する。
【００２５】
この第一のベース部２００は、その周囲に壁部２０３を設けてその内側に媒体５を載置するための載置用ベース２０２を取り付けられるようにしたものである。この載置用ベース２０２は、その上面に媒体５と同じ形状の凹部によって形成された固定部２０４を設け、この固定部２０４によって媒体５の周囲を固定して載置ベース２０２上に載置できるようにしている。また、この固定部２０４の一端には、円形の取出穴２０５を設けており、この取出穴２０５に指を掛けて固定部２０４に載置された媒体５を取り出せるようにしている。
【００２６】
一方、撮像装置３を載置する第二のベース部２０１には、撮像装置３の外周部分に対応した壁部２０６が設けられ、その壁部２０６の内側に撮像装置３の窓部３０や固定突起３１に対応した凹状の溝部２０７を設ける。そして、撮像装置３をテンプレート２１ａに位置決めする方向と同じ方向に載置できるようにしている。
【００２７】
蓋体２１は、第一のベース部２００とほぼ同じ外形を有する外枠部材２１４と、テンプレート２１ａ、および透明フィルム２１ｂとを設けて構成される。
【００２８】
このうち、外枠部材２１４は、テンプレート２１ａよりも硬い部材などによって形成されるもので、その内側にテンプレート２１ａを取り付けるための中空部２１６を設け、また、ヒンジ部材２２を設けている側と反対側に第一のベース部２００よりも突出した爪部２１５を設けている。そして、この爪部２１５に指を掛けて蓋体２１を開閉可能にしている。
【００２９】
一方、テンプレート２１ａは、透明の部材によって構成されるもので、固定部２０４に固定された媒体５の撮像位置、すなわち、媒体５の真偽判別要素が存在する位置、に撮像装置３の窓部３０を嵌合しうるような円形の覗き孔２１０を複数設けている。そして、この覗き孔２１０に嵌合された撮像装置３を回転不能にすべく、その覗き孔２１０と離れた位置に固定孔２１１を設け、この固定孔２１１に撮像装置３の固定突起３１を嵌合させるようにしている。そして、このように勘合させて撮像装置３を回転不能にすることにより、媒体５から取得された画像の真偽判別をする際、その画像を回転処理して基準情報と比較するなどの処理をなくせるようにしている。
【００３０】
さらに、このテンプレート２１ａの裏面、すなわち、テンプレート２１ａの媒体５側には、撮像装置３の位置決め状態を示す輪郭線や、覗き孔２１０の撮像順序を示す数字などを示した標記２１２を有する透明フィルム２１ｂが貼り付けられる。
【００３１】
一方、撮像装置３は、ベース部材２０とテンプレート２１ａとの間に挟み込まれた媒体５の画像を取得できるように構成したもので、筐体の上面部に撮像開始用のスイッチ３４を設け、また、その底面部３２に下方へ突出した円形の窓部３０や固定突起３１を設ける。この底面部３２に設けられた窓部３０は、テンプレート２１ａの覗き孔２１０の内壁にほぼ密着するような矩形形状に構成され、また、固定突起３１は、テンプレート２１ａの固定孔２１１との嵌合を容易にすべく球面形状に構成している。すなわち、窓部３０と固定突起３１のいずれも矩形形状なるように構成すれば、窓部３０と固定突起３１を嵌合させる際、その両方を正確に位置決めしてからしか嵌合させることができない。一方、窓部３０と固定孔２１１の両方を球面形状とした場合は、覗き孔２１１内で窓部３０が遊んでしまうため、撮像時にブレを生じてしまう。このため、本実施の形態では、窓部３０側を矩形形状として正確な画像の取得を可能にするとともに、固定突起３１側を球面形状として迅速な取り付けを可能にしている。また、この撮像装置３の内部には、撮像部３５と制御部３６とＡ／Ｄ変換部３７などが設けられる。この撮像部３５の構成を図４に示し、また、この撮像装置３を含む真偽判別システムの機能ブロックを図５に示す。
【００３２】
撮像部３５は、真偽判別用の媒体５に対して所定の周波数を有する光を照射し、その媒体５からの反射光を受光することによって媒体５の画像情報を取得するもので、図４に示すように、波長の異なる２種類のＬＥＤ３５ａ、３５ｂと、反射光を受光するＣＣＤ３５ｃを設けて構成される。
【００３３】
制御部３６は、主として撮像部３５のＬＥＤ３５ａ、３５ｂやＣＣＤ３５ｃなどを制御するもので、筐体上面に設けられたスイッチ３４が押下されることにより、２種類のＬＥＤ３５ａ、３５ｂを切り替えて光を照射させ、その反射光を受光してその情報をＡ／Ｄ変換部３７に出力する。
【００３４】
Ａ／Ｄ変換部３７は、撮像された媒体５の反射光であるアナログ信号をデジタル信号に変換するものであり、このデジタル信号に変換された情報は、伝送線を介してパーソナルコンピュータ４に送信される。
【００３５】
パーソナルコンピュータ４は、コンパクトディスクなどのような携帯可能な記録媒体を用いて媒体真偽判別のプログラムをインストールして構成されるもので、この真偽判別処理に関して、図５に示すように、記憶手段４０、指示手段４１、判別手段４２、表示手段４３などを有する。
【００３６】
記憶手段４０は、真偽判別用の実行プログラムの他、正規の媒体に対する基準情報などを記憶する。この基準情報としては、例えば、所定の周波数を有する光で照射した特定領域毎の画像の濃淡データなどを記憶する。
【００３７】
指示手段４１は、図７に示すように、真偽判別の像操作を指示するもので、覗き孔２１０への嵌合順序などをオペレータに指示する。
【００３８】
判別手段４２は、指示手段４１によって指示された撮像位置に対する正規の媒体の基準画像情報を記憶手段４０から読み出し、この基準画像情報と撮像装置３側から出力されてきた画像に関する情報とを比較して、その画像に対する真偽判別の結果を出力する。
【００３９】
次に、このように構成された媒体真偽判別用装置１の使用方法および、パーソナルコンピュータ４を含む真偽判別システムのフローチャートについて図６を用いて説明する。
【００４０】
まず、この媒体真偽判別用装置１を使用するに際して、テンプレートユニット２の蓋体２１を開け、載置用ベース２０２の固定部２０４に媒体５をセットする。このセットは、媒体５をあらかじめ定められた向きとなるように行い、そして、この蓋体２１を閉めることによって、ベース部材２０とテンプレート２１ａによって媒体５を挟み込む。これにより、テンプレート２１ａの覗き孔２１０の部分によって媒体５の撮像位置が特定され、真偽判別要素が存在する位置を容易に把握することができるようになる。
【００４１】
そして、このようにセットされた媒体５の真偽判別を行う場合、パーソナルコンピュータ４の真偽判別用プログラムを起動させ、これによりパーソナルコンピュータ４は、免許証のセットをオペレータに指示し（ステップ１）、また、ポイント１の画像の取り込みを指示する（ステップ２）。そして、覗き孔２１０に対応した標記２１２に沿って撮像装置３をセットし、指示された標記２１２に対応する覗き孔２１０に撮像装置３の窓部３０を嵌合させるとともに、固定突起３１をその覗き孔２１０に対応する固定孔２１１に嵌合させる。そして、撮像装置３の筐体上部に設けられたスイッチ３４が押下されることにより、その覗き孔２１０の画像を取得する（ステップＳ３）。そして、画像の類似度などを考慮してこの画像の取り込み位置が正しいか否かを判断し（ステップ４）、取り込み位置が正しくないと判断された場合は、再度取り込み位置を確認すべき旨の指示を行う（ステップ５）。一方、取り込み位置が正しいと判断された場合、記憶手段４０に記憶されている基準画像情報と比較することにより取得した画像の真偽を判別するとともに（ステップ６）、目視によっても真偽判別できるように図７に示すように取り込み画像と本物サンプル画像を並べて表示する（ステップ７）。そして、ステップ６の真偽判別の結果、異常があると判断された場合は、表示手段４３により「判別結果異常」である旨の表示を行い（ステップ９）、一方、真であると判断された場合は、所定の全ての撮像位置の画像を取得したか否かを判断する（ステップ１０）。そして、所定の全ての撮像位置の画像を取得していない場合は、表示手段４３により「ポイント１のチェック終了」の表示を行い（ステップ１１）、次の撮像位置を指示して（ステップ１２）、その撮像位置の画像の取り込みを指示する（ステップ１３）。一方、所定の全ての撮像画像の真偽判別を行い、全ての結果が真であると判定された場合は（ステップ１０）、表示手段４３により「全ポイントチェック終了」である旨の出力を行う（ステップ１４）
【００４２】
このように、本実施の形態によれば、複数の真偽判別要素を有する媒体５に対して、その真偽判別要素が存在する位置に覗き孔２１０を設け、その覗き孔２１０に撮像装置３の窓部３０を回転不能に嵌合させて真偽判別するようにしたので、簡単な構成で高精度な真偽判別を迅速に行うことができ、有人窓口の設置に適した装置にすることができるようになる。
【００４３】
また、この媒体５をセットする場合、ベース部材２０の固定部２０４に媒体を固定した状態で媒体５の画像を取得するようにしたので、撮像時における媒体５のブレを防止することができるようになる。
【００４４】
さらに、複数の覗き孔２１０に対して輪郭線や撮像順序を示した標記を有する透明フィルム２１ｂを貼り付けるようにしたので、複数の覗き孔２１０が設けられた場合であっても、その覗き孔２１０の選択ミスを防止することができるようになる。
【００４５】
加えて、上記実施の形態では、撮像装置３で取得した画像を、パーソナルコンピュータ４に出力してそこで真偽判別するように構成したので、一般に普及しているパーソナルコンピュータ４を利用して、真偽判別装置１全体を安価なものに構成することができるようになる。
【００４６】
なお、本発明は上記実施の形態に限定されることなく、種々の態様で実施することができる。
【００４７】
例えば、テンプレート２１ａの覗き孔２１０の内部に、その覗き孔２１０を識別するための識別記号を設けるようにしても良い。この場合、例えば、図８に示すように、覗き孔２１０の内側であって撮像の邪魔にならない位置に識別記号に対応した線２１３ａを有する透明フィルム２１ｂを設け、これによって覗き孔２１０の場所を識別できるようにしても良い。なお、図８において、（ａ）は透明フィルムを貼り付けた状態におけるテンプレート２１ａの平面図を示し、（ｂ）はそのＡ−Ａ断面図を示したものである。
【００４８】
また、上記実施の形態においては、載置用ベース２０２に一種類の媒体５のみを固定するようにしているが、図９に示すように、複数の媒体５をセットできるように複数の固定部２０４、２０４ａを設け、また、これに対応してテンプレート２１ａに、その媒体５に対応した覗き孔を設けるようにしても良い。
【００４９】
また、このように構成した場合は、テンプレート２１ａの孔が非常に多くなる可能性があるため、載置用ベース２０２をベース部材２０から着脱できるように構成し、また、これに対応してテンプレート２１ａも外枠部材２４に対して着脱できるように構成しても良い。そして、使用する媒体に対応してそれぞれのテンプレート２１ａを使い分けるようにしても良い。
【００５０】
また、上記実施の形態においては、テンプレートユニット２をベース部材２０および蓋体２１によって構成したが、これに限らず、テンプレート２１ａだけによって本発明を実施することもできる。この場合、例えば、媒体５を位置決めするための固定部２０４ｂを、図１０に示すようにテンプレート２１ａの裏面に設け、机上に載置された媒体５にその固定部２０４ｂを被せるようにテンプレート２１ａを設け、以下、同様にして撮像位置を画像を取得するようにしても良い。
【００５１】
さらに、上記実施の形態においては、撮像装置３を位置決めする手段として、覗き孔２１０、固定孔２１１、およびこれに対応した窓部３０、固定突起３１を設けて構成するようにしたが、覗き孔２１０と窓部３０のみによって構成するようにしても良い。また、その覗き孔２１０の形状に関しても、円形形状に限らずその他の形状に構成するようにしても良い。
【００５２】
【発明の効果】
本発明では、媒体の撮像位置に対応する箇所に覗き孔を有するテンプレートを設けるようにしたので、簡単に撮像位置を特定し、媒体の真偽判別を行うことができるようになる。
【図面の簡単な説明】
【図１】本実施形態における媒体真偽判別用装置の外観斜視図
【図２】同形態における媒体真偽判別用装置の分解平面図
【図３】媒体真偽判別用装置の使用状態における概略断面図
【図４】同形態における撮像装置の窓部近傍を示した図
【図５】同形態における撮像装置およびパーソナルコンピュータの機能ブロック図
【図６】同形態における媒体真偽判別のフローチャート
【図７】パーソナルコンピュータの表示画面例
【図８】他の実施形態におけるテンプレートを示す図
【図９】他の実施形態におけるベース部材を示す図
【図１０】他の実施形態におけるテンプレートを示す図
【符号の説明】
１・・・媒体真偽判別用装置
２・・・テンプレートユニット
３・・・撮像装置
２０・・・ベース部材
２１・・・蓋体
２１ａ・・・テンプレート
２１ｂ・・・透明フィルム
３０・・・窓部
３１・・・固定突起
２０２・・・媒体設置用テンプレート
２０４・・・固定部
２１０・・・覗き孔
２１１・・・固定孔
２１２・・・標記
【図１】
2005012519.tif 000003
【図２】
2005012519.tif 000004
【図３】
2005012519.tif 000005
【図４】
2005012519.tif 000006
【図５】
2005012519.tif 000007
【図６】
2005012519.tif 000008
【図７】
2005012519.tif 000009
【図８】
2005012519.tif 000010
【図９】
2005012519.tif 000011
【図１０】
2005012519.tif 000012